(57)【特許請求の範囲】
【請求項１】
複数の水平濾板が上下方向に離接可能に支持された濾過部と、この濾過部に接近して配置され且つ上記水平濾板に対してシート状の濾材を給排する昇降可能な濾材給排部とを備え、上記濾材給排部は、複数枚の濾材を保持する昇降可能な保持テーブルと、この保持テーブルで保持された濾材を一枚ずつ上記濾過部へ供給する進退動可能な濾材供給機構と、この濾材供給機構の下方に配置され且つ上記濾過部での使用済み濾材を排出する進退動可能な濾材排出機構とを有する水平濾板式濾過機において、上記濾材供給機構は、上記保持テーブル上の濾材を複数箇所で吸着してその前端部を持ち上げる複数の吸着保持部と、これらの吸着保持部で持ち上げられた濾材の前端部を複数箇所で挟持する複数の挟持機構とを有し、更に、上記挟持機構は、上記吸着保持部で持ち上げられた濾材の前端部に表面側から接触する接触保持部と、上記濾材の前端上方で回転して上記接触保持部に対して上記濾材の前端部を裏面側から押し付けて濾材を挟持するプッシャーと、このプッシャーを正逆回転させる駆動機構とを有することを特徴とする水平濾板式濾過機。
【請求項２】
上記接触保持部はピン及びピンに隣接する弾性部材を有すると共に上記プッシャーは上記ピンの貫通孔を有することを特徴とする請求項１に記載の水平濾板式濾過機。
【発明の詳細な説明】
【０００１】
【発明の属する技術分野】
本発明は、濾過部及び濾材給排部を有する水平濾板式濾過機に関し、更に詳しくは、シート状濾材の濾過部への供給時間を短縮することができる水平濾板式濾過機に関する。
【０００２】
【従来の技術】
水平濾板式濾過機は、必要な濾過精度に合ったシート状の濾材を用いて加圧下で高精度の濾過が可能であり、しかも濾材を自動的に交換することができるため、例えば、金属圧延油の浄化やファインケミカル分野の結晶の分離等の多方面で使用されている。従来の水平濾板式濾過機としては例えば図５〜図７に示すものが知られている。図５は水平濾板式濾過機の側面図、図６は濾材供給機構を拡大して示す部分斜視図、図７は図６に示す濾材供給機構で濾紙を取り出す時に動作説明図である。
【０００３】
即ち、従来の水平濾板式濾過機は、図５に示すように、複数の矩形状の水平濾板１が上下方向に離接可能に支持された濾過部Ａと、この濾過部Ａに接近して配置された濾紙給排部Ｂとを備えている。濾過部Ａは、上下方向に離接可能に複数配置された矩形状の枠型水平濾板１と、この水平濾板１を上下方向に移動させて離接させる加圧ジャッキ２とを備えている。一方、濾紙給排部Ｂは、複数枚の濾紙Ｐを保持し且つシリンダ３で昇降可能に構成された保持テーブル４と、この保持テーブル４で保持された濾紙Ｐを一枚ずつ水平濾板１へ供給する濾紙供給機構５と、この濾紙供給機構５の下方に配置され且つ使用済みの濾紙Ｐを排出する濾紙排出機構６と、これら両者を一体的に昇降可能に支持する昇降キャリッジ７と、昇降キャリッジ７を昇降させる昇降駆動機構８とを備えている。昇降キャリッジ７は、前後左右の垂直部材７Ａと、前後の垂直部材７Ａを上端で互いに連結する水平部材７Ｂとを有している。また、昇降駆動機構８は、門型の支柱９のトップビーム中央に取り付けられウォーム減速機８Ａと、ウォーム減速機８Ａの出力軸に連結されたトップビーム左右両端のベベルギヤボックス８Ｂと、各ベベルギヤボックス８Ｂに連結され且つ支柱９の左右の垂直部材に沿って配設されたボールネジ８Ｃと、ボールネジ８Ｃを下端で回転自在に受ける軸受８Ｄとを備えている。
【０００４】
上記濾紙供給機構５は、例えば図５、図６に示すように、濾紙Ｐの両側端部を挟持し得る大きさに形成されたチャックフレーム５Ａと、このチャックフレーム５Ａの両側面にそれぞれ取り付けられた前後のローラ５Ｂと、これらのローラ５Ｂを介してチャックフレーム５Ａを前後方向に進退動可能に支持するガイドレール５Ｃと、チャックフレーム５Ａをガイドレール５Ｃに従って進退動させるシリンダ５Ｄと、昇降キャリッジ７前端部に沿って取り付けられて濾紙Ｐの前端部を吸着して持ち上げるた複数の真空吸着盤５Ｅ（図５参照）とを備えている。図６に示すようにチャックフレーム５Ａはチャンネル型鋼からなり、後部の下辺は切除されて倒Ｌ字状になっている。チャックフレーム５Ａ上辺の前部及び中央部にはそれぞれシリンダ５Ｆが取り付けられ、それぞれのロッドはチャンネル型鋼の溝内に沿って配置されたチャックバー５Ｇに連結されている。チャックバー５Ｇの下面は鋸歯状に形成され、また、チャンネル型鋼のチャックバー５Ｇの下面との対向面にはゴムシート５Ｈ（図７参照）が張り付けられている。ガイドレール５Ｃはチャックフレーム５Ａより大きいチャンネル型鋼からなり、その前後２箇所が昇降キャリッジ７の垂直部材７Ａで固定されている。
【０００５】
また、図５に示すように濾紙排出機構６もチャックフレーム６Ａ、ローラ６Ｂ、ガイドレール６Ｃ、シリンダ６Ｄ、６Ｆ、チャックバー（図示せず）及びゴムシート（図示せず）を備え、濾紙供給機構５と同様に構成されている。上下のガイドレール５Ｃ、６Ｃはそれぞれ昇降駆動機構８のボールネジ８Ｃと螺合するナット８Ｄ、８Ｄが固定され、上下のナット８Ｄ、８Ｄはプレートによって連結されている。従って、昇降駆動機構８が駆動すると、ボールネジ８Ｃ及びナット８Ｄを介して昇降キャリッジ７が昇降し、濾紙供給機構５及び濾紙排出機構６がそれぞれの給排位置へ移動する。
【０００６】
次に、図５及び図７を参照しながら濾紙を供給する場合の動作について説明する。まず、濾過部Ａでは加圧ジャッキ２が駆動して互いに密着した水平濾板１が離隔し、濾紙Ｐを受け入れる態勢になる。次いで、濾紙給排部Ｂにおいて濾紙供給機構５が駆動する。即ち、昇降駆動機構８のウォーム減速機８Ａが駆動すると、ベベルギアボックス８Ｂを介して左右のボールネジ８Ｃが正逆回転して昇降キャリッジ７が昇降し、濾紙供給機構５のチャックフレーム５Ａを給紙しようとする水平濾板１のレベルに合わせる。その後、保持テーブル４が昇降し、最上段の濾紙Ｐをチャックフレーム５Ａのレベルに合わせる。そして、図５に示すようにシリンダ５Ｄを介してチャックフレーム５Ａが濾過部Ａ側の前進端まで移動すると、その前半部が図５の仮想線で示すように水平濾板１上に張り出し、その後半部が昇降キャリッジ７内でガイドレール５Ｃにより支持されている。ここで図７に示すように真空吸着盤５Ｅを介して濾紙Ｐの前端部を真空吸着して若干持ち上げ、その状態でシリンダ５Ｄを介してチャックフレーム５Ａが元に位置まで後退すると、チャックフレーム５Ａの下辺が持ち上げられた濾紙Ｐの下面に沿って後退し、濾紙Ｐの両側の張り出し部が図６、図７に示すようにチャックフレーム５Ａのチャックバー５Ｇと下辺のゴムシート５Ｈの間に挿入される。ここでチャックバー５Ｇがシリンダ５Ｆを介して下降し、チャックバー５Ｇとゴムシート５Ｈとで濾紙Ｐの両側の張り出し部を挟持する。引き続きチャックフレーム５Ａがシリンダ５Ｄを介して前進端まで再度移動して水平濾板１上に達する。ここで、チャックバー５Ｇがシリンダ５Ｆを介して上昇すると、濾紙Ｐがチャックフレーム５Ａから解放され、自重で水平濾板１上へ落下し、その後チャックフレーム５Ａがシリンダ５Ｄを介して元の位置まで後退し、給紙を終了する。
【０００７】
使用済みの濾紙Ｐを濾過部Ａから排出する場合には、濾過部Ａでは加圧ジャッキ２を介して互いに密着した水平濾板１が離隔し、使用済みの濾紙Ｐを取り出す態勢になる。次いで、昇降駆動機構８を介して濾紙排出機構６のチャックフレーム６Ａを排紙しようとする水平濾板１のレベルに合わせた後、シリンダ６Ｄを介してチャックフレーム６Ａが濾過部Ａ側の前進端まで移動する。この際、シリンダ６Ｆは上昇端にあり、チャックフレーム６Ａの両側溝は濾紙Ｐの両側張り出し部に干渉することなく前進する。濾紙Ｐの両側張り出し部のチャックフレーム６Ａへの挿入が終了すると、シリンダ６Ｆを介して濾紙Ｐの張り出し部を挟持する。引き続きチャックフレーム６Ａがシリンダ６Ｄを介して元の位置まで戻った後、昇降キャリッジ７が昇降駆動機構８を介して所定位置まで下降して停止し、この位置でチャックバー６Ｆがシリンダ６Ｆを介して再び上昇すると、濾紙Ｐがチャックフレーム６Ａから解放され、自重で濾紙回収箱Ｃへ落下する。
【０００８】
【発明が解決しようとする課題】
しかしながら、従来の水平濾板式濾過機の場合には、濾紙Ｐを水平濾板１上にセットするまでにチャックフレーム５Ａが濾過部Ａと濾紙給排部Ｂとの間を２往復しなくてはならないため濾紙Ｐの供給に時間を要するという課題があった。また、濾紙Ｐをチャックフレーム５Ａの左右の溝内に挿入する際に、濾紙Ｐを真空吸着盤５Ｅのみで持ち上げ、しかも持ち上げてから濾紙Ｐをチャックフレーム５Ａの溝内に挿入するまでに時間が掛かるため、その間に真空吸着盤５Ｅで真空漏れがあれば濾紙Ｐの挿入前に濾紙Ｐが落下してチャックフレーム５Ａで濾紙Ｐを挟持することができず、濾紙Ｐを水平濾板１へ供給できないという課題があった。更に、濾紙Ｐが変形した場合には濾紙Ｐの左右の張り出し部がチャックフレーム５Ａの左右の溝内へ挿入できない虞があり、ひいては濾紙Ｐを供給できないという課題があった。
【０００９】
本発明は、上記課題を解決するためになされたもので、濾紙の供給時間を略半分に短縮することができ、しかも濾材が変形しても濾材を確実に挟持して水平濾板上へ供給することができる水平濾板式濾過機を提供することを目的としている。
【００１０】
【課題を解決するための手段】
本発明の請求項１に記載の水平濾板式濾過機は、複数の水平濾板が上下方向に離接可能に支持された濾過部と、この濾過部に接近して配置され且つ上記水平濾板に対してシート状の濾材を給排する昇降可能な濾材給排部とを備え、上記濾材給排部は、複数枚の濾材を保持する昇降可能な保持テーブルと、この保持テーブルで保持された濾材を一枚ずつ上記濾過部へ供給する進退動可能な濾材供給機構と、この濾材供給機構の下方に配置され且つ上記濾過部での使用済み濾材を排出する進退動可能な濾材排出機構とを有する水平濾板式濾過機において、上記濾材供給機構は、上記保持テーブル上の濾材を複数箇所で吸着してその前端部を持ち上げる複数の吸着保持部と、これらの吸着保持部で持ち上げられた濾材の前端部を複数箇所で挟持する複数の挟持機構とを有し、更に、上記挟持機構は、上記吸着保持部で持ち上げられた濾材の前端部に表面側から接触する接触保持部と、上記濾材の前端上方で回転して上記接触保持部に対して上記濾材の前端部を裏面側から押し付けて濾材を挟持するプッシャーと、このプッシャーを正逆回転させる駆動機構とを有することを特徴とするものである。
【００１２】
また、本発明の請求項２に記載の水平濾板式濾過機は、請求項１に記載の発明において、上記接触保持部はピン及びピンに隣接する弾性部材を有すると共に上記プッシャーは上記ピンの貫通孔を有することを特徴とするものである。
【００１３】
【発明の実施の形態】
以下、図１〜図４に示す実施形態に基づいて本発明を説明する。尚、図１は本発明の水平濾板式濾過機の一実施形態の要部を拡大して示す図で、（ａ）はその一部を破断して示す平面図、（ｂ）はその正面図、図２は図１に示す挟持機構を拡大して示す側面図、図３は図１に示す要部を含む濾紙給排部の全体を示す側面図、図４は図３に示す濾紙給排部の昇降駆動機構を示す平面図である。
【００１４】
本実施形態の水平濾板式濾過機は濾過部及び濾紙給排部を備え、濾紙給排部を除き従来のものに準じて構成されている。そこで、本実施形態の特徴部分である濾紙給排部について図１〜図４を参照しながら説明する。
【００１５】
本実施形態の濾紙給排部Ｂは、例えば図３、図４に示すように、複数枚の濾紙Ｐを保持する昇降可能な保持テーブル１１と、この保持テーブル１１で保持された濾紙を一枚ずつ前方（各図の左側）に配置された濾過部（図示せず）へ供給する進退動可能な濾紙供給機構１２と、この濾紙供給機構１２の下方に保持テーブル１１を介在させて配置され且つ濾過部での使用済み濾紙Ｐを排出する進退動可能な濾紙排出機構１３と、これら三者を一体的に昇降する第１昇降駆動機構１４と、この第１昇降駆動機構１４を支持する支持枠１５とを備えている。支持枠１５は、４本の支柱１５１と、各支柱１５１間を上端で互いに連結する４本の梁１５２と、これらの梁１５２間を連結する十字状の架台１５３とを有し、各部材は型鋼からなっている。
【００１６】
上記第１昇降駆動機構１４は、図３、図４に示すように、十字状架台１５３に配置されたモータ１４１と、モータ１４１の出力軸に連結され且つ十字状架台１５３の交差部に配置されたベベルギヤボックス１４２と、ベベルギヤボックス１４２の左右に配置され且つ駆動シャフト１４３を介してそれぞれ連結された一対のベベルギヤボックス１４４と、各ベベルギヤボックス１４４の前後に配置され且つ駆動シャフト１４５を介してそれぞれ連結された４台のウォーム減速機１４６と、各ウォーム減速機１４６の出力軸に連結されて各支柱１５１に沿って下方に延びるネジ軸１４７とを有し、モータ１４１により各ネジ軸１４７が正逆回転するようになっている。
【００１７】
上記濾紙供給機構１２は、図１、図３に示すように、型鋼からなる左右一対のサイドフレーム１２１と、各サイドフレーム１２１に沿ってそれぞれ取り付けられた左右一対のガイドレール１２２と、これらのガイドレール１２２とそれぞれ係合する左右一対のスライドフレームを主体とするチャックフレーム１２３と、このチャックフレーム１２３を前後方向（図３では左右方向）に進退駆動させるチャック駆動機構１２４とを備えている。サイドフレーム１２１の前後には第１昇降駆動機構１４のネジ軸１４７とそれぞれ螺合するナット１４８が取り付けられ、第１昇降駆動機構１４を介して濾紙供給機構１２が昇降するようになっている。更に、左右のサイドフレーム１２１の前端及び後部はそれぞれ枠状の前部フレーム１６及び後部フレーム１７でそれぞれ連結されている。
【００１８】
上記濾紙排出機構１３は濾紙供給機構１２に準じて構成され、モータ１３４Ａを介してチャックフレーム１３３が前後に進退動するようになっている。そして、濾紙供給機構１２のガイドフレーム１２１と濾紙排出機構１３のガイドフレーム１３１はそれぞれ前部フレーム１６及び後部フレーム１７を介して互いに連結されている。
【００１９】
上記チャック駆動機構１２４は第１昇降駆動機構１４と同様の動力伝達手段を有している。即ち、チャック駆動機構１２４は、図３に示すように、後部フレーム１７の中央部に取り付けられたモータ１２４Ａと、このモータ１２４Ａの出力軸に連結されたベベルギヤボックス（図示せず）と、このベベルギヤボックスの左右に配置され且つこのベベルギヤボックスに駆動シャフト（図示せず）を介して連結された一対のベベルギヤボックス１２４Ｂと、各ベベルギヤボックス１２４Ｂに連結され且つサイドフレーム１２１に沿って延びるネジ軸１２４Ｃと、ネジ軸１２４Ｃと螺合し且つチャックフレーム１２３に取り付けられたナット１２４Ｄとを備え、モータ１２４Ａ及びその動力伝達機構を介してチャックフレーム１２３が前後に進退動するようになっている。
【００２０】
而して、上記濾紙供給機構１２は、図１の（ａ）、（ｂ）に示すように、保持テーブル１１（図３参照）上の濾紙Ｐを複数箇所で吸着してその前端部を持ち上げる複数個の吸着保持部１２５と、これらの吸着保持部１２５で持ち上げられた濾紙Ｐの前端部を複数箇所で挟持する複数個の挟持機構１２６とを有している。
【００２１】
即ち、図１の（ａ）、（ｂ）に示すように左右のサイドフレーム１２１の前端近傍には型鋼からなる第１取付金具１２７が架設されている。第１取付金具１２７の左右端部には一対の第１シリンダ１２８が垂直に固定され、各第１シリンダ１２８のロッドには位置決めスイッチ１２９がそれぞれ連結されている。位置決めスイッチ１２９は第１シリンダ１２８を介して図示しないガイドピンに従って昇降して保持テーブル１１上の濾紙Ｐに接触し、濾紙Ｐの現在位置を検出するようになっている。更に、第１取付金具１２７の第１シリンダ１２８の内側には左右一対の第２シリンダ１３０が垂直に固定され、これらの第２シリンダ１３０のロッドには複数個の吸着保持部１２５が固定された第２取付金具１３１が水平に連結されている。各吸着保持部１２５は図１（ｂ）の仮想線で示すように第２シリンダ１３０を介して下降し、濾紙Ｐを吸着保持するようになっている。
【００２２】
図１の（ａ）、（ｂ）に示すように左右のチャックフレーム１２３には第３取付金具１３２が架設され、この第３取付金具１３２により複数個の挟持機構１２６がそれぞれ支持されている。この挟持機構１２６は、図２に示すように、吸着保持部１２５で持ち上げられた濾紙Ｐの前端部に表面側から接触する接触保持部１２６Ａと、濾紙Ｐの前端上方で回転して接触保持部１２６Ａに対して濾紙Ｐの前端部を裏面側から押し付けて濾紙Ｐを挟持するプッシャー１２６Ｂと、このプッシャー１２６Ｂを正逆回転させるアクチュエータ１２６Ｃとを有している。接触保持部１２６Ａは、プッシャー１２６Ｂの動作で濾紙Ｐに突き刺さるピン１２６Ｄと、ピン１２６Ｄの前後に配置されたスプリング１２６Ｅとを有している。ピン１２６Ｄの下端はスプリング１２６Ｅの下端と同一レベルかそれより後退したレベルに設定されている。更に、プッシャー１２６Ｂにはピン１２６Ｄの貫通する孔１２６Ｆが形成されている。従って、プッシャー１２６Ｂがアクチュエータ１２６Ｃを介して回転すると、ピン１２６Ｄが濾紙Ｐを突き抜けプッシャー１２６Ｂの孔１２６Ｆを貫通すると共にプッシャー１２６Ｂでスプリング１２６Ｅを圧縮するようになっている。
【００２３】
また、上記保持テーブル１１は第１昇降駆動機構１４に準じて構成された第２昇降駆動機構１８を介して昇降するようになっている。この第２昇降駆動機構１８は、図３に示すように、モータ１８１、ベベルギヤボックス１８２、駆動シャフト１８３、ベベルギヤボックス１８４、ネジ軸１８５及びナット（図示せず）を有している。ネジ軸１８５は保持テーブル１１の左右前後に固定されたナットと螺合し、モータ１８１を介して正逆回転して保持テーブル１１を昇降するようになっている。
【００２４】
次に、動作について説明する。図示しない濾過部では加圧ジャッキが駆動して互いに密着した水平濾板が離隔し、濾紙を受け入れる態勢になる。次いで、濾紙給排部Ｂにおいて濾紙供給機構１２が駆動する。即ち、図３に示す第１昇降駆動機構１４のモータ１４１が駆動すると、ベベルギアボックス１４２、駆動シャフト１４３、ベベルギヤボックス１４４、駆動シャフト１４５、ウォーム減速機１４６及びネジ軸１４７を介して濾紙供給機構１２が昇降し、チャックフレーム１２３を給紙しようとする水平濾板のレベルに合わせる。その後、保持テーブル１１が第２昇降駆動機構１８を介して昇降すると共に位置決めスイッチ１２９が第１シリンダ１２８を介して下降し、位置決めスイッチ１２９が濾紙Ｐと接触し、その現在位置を検出する。
【００２５】
位置決めスイッチ１２９の検出に基づいて第２シリンダ１３０が駆動して吸着保持部１２５が下降すると、吸着保持部１２５で濾紙Ｐの前端部を吸着保持する。引き続き吸着保持部１２５が第２シリンダ１３０を介して上昇して濾紙Ｐの前端部を持ち上げると、濾紙Ｐが挟持機構１２６の接触保持部１２６Ａと接触する。この際、挟持機構１２６のアクチュエータ１２６Ｃが素早く駆動し、プッシャー１２６Ｂが図２の実線位置から濾紙Ｐの前端から後方側へ回転し、同図の仮想線に達すると濾紙Ｐをその裏面から接触保持部１２６Ａに押し付け、接触保持部１２６Ａとで濾紙Ｐの前端部を挟持する。この際、接触保持部１２６Ａのピン１２６Ｄが濾紙Ｐを突き抜けプッシャー１２６Ｂの孔１２６Ｆ及び濾紙Ｐを貫通すると共にプッシャー１２６でスプリング１２６Ｅを圧縮する。これにより濾紙Ｐは挟持機構１２６から外れないように確実に挟持される。
【００２６】
挟持機構１２６で濾紙Ｐの前端部を挟持すると、すかさずチャック駆動機構１２４のモータ１２４Ａが駆動し、ネジ軸１２４Ｃが動力伝達機構を介して回転すると、チャックフレーム１２３が前進し濾過部側の前進端で停止して水平濾板の真上に張り出した状態になる。次いで、挟持機構１２６のアクチュエータ１２６Ｃが逆方向に駆動し、プッシャー１２６Ｂが図２の仮想線位置から回転して接触保持部１２６Ａから退避し、同図の実線で示す元の位置へ戻る。プッシャー１２６Ｂが接触保持部１２６Ａから退避すると、濾紙Ｐは接触保持部１２６Ａのスプリング１２６Ｅを介してピン１２６Ｄから外れ、水平濾板上へ落下する。その後、チャック駆動機構１２４が逆向きに駆動すると、チャックフレーム１２３元の位置まで後退し、給紙を終了する。
【００２７】
以上説明したように本実施形態によれば、濾紙供給機構１２は、保持テーブル１１上の濾紙Ｐを吸着してその前端部を持ち上げる吸着保持部１２５と、これらの吸着保持部１２５で持ち上げられた濾紙Ｐの前端部を複数箇所で挟持する複数の挟持機構１２６とを有し、複数の挟持機構１２６で濾紙Ｐの前端部を複数箇所で挟持した後、濾紙Ｐを濾過部へ供給することができるため、チャックフレーム１２３の一往復で濾紙Ｐを濾過部へ供給することができ、従来の半分の時間で濾紙Ｐを供給することができる。また、本実施形態では濾紙Ｐの前端部を挟持するため、濾紙Ｐが変形して横幅が足りなくても濾紙Ｐを確実に挟持して濾過部へ供給することができる。
【００２８】
また、本実施形態によれば、挟持機構１２６は、吸着保持部１２５で持ち上げられた濾紙Ｐの前端部に表面側から接触する接触保持部１２６Ａと、濾紙Ｐの前端上方で回転して接触保持部１２６Ａに対して濾紙Ｐの前端部を裏面側から押し付けて濾紙Ｐを挟持するプッシャー１２６Ｂと、このプッシャー１２６Ｂを正逆回転させるアクチュエータ１２６Ｃとを有し、吸着保持部１２５で持ち上げた濾紙Ｐをすかさず挟持することができるため、一旦吸着保持部１２５で濾紙Ｐを持ち上げれば、挟持機構１２６で確実に濾紙Ｐを挟持すことができ、しかも濾紙Ｐの持ち上げから挟持でを短時間で行うことができる。
【００２９】
また、本実施形態によれば、接触保持部１２６Ａはピン１２６Ｄ及びこのピン１２６Ｄに隣接するスプリング１２６Ｅを有すると共にプッシャー１２６Ｂはピン１２６Ｄの貫通孔１２６Ｆを有し、接触保持部１２６Ａとプッシャー１２６Ｂとで濾紙Ｐを挟持した時にピン１２６Ｄを濾紙Ｐに突き刺すため、チャックフレーム１２３が移動する際に濾紙Ｐが挟持機構１２６から外れることがなく、濾紙Ｐを確実に濾過部へ供給することができ、また、濾紙Ｐが接触保持部１２６Ａから落下する時にはスプリング１２６Ｅを介して濾紙Ｐをピン１２６Ｄから外し、濾過部の水平濾板へ確実に落とし込むことができる。
【００３０】
尚、上記実施形態では濾紙Ｐを供給する場合について説明したが、本発明は上記実施形態に何等制限されるものではなく、濾紙以外の濾材についても広く適用することができる。また、本発明の各構成要素は必要に応じて設計変更することができる。
【００３１】
【発明の効果】
本発明の請求項１に記載の発明によれば、濾材の供給時間を略半分に短縮することができると共に濾材が変形しても濾材を確実に挟持して水平濾板上へ供給することができ、濾材の持ち上げから挟持までを短時間で行うことができる水平濾板式濾過機を提供することができる。
【００３３】
また、本発明の請求項２に記載の発明によれば、請求項１に記載の発明において、濾材の供給途中で濾材が挟持機構から外れることがなく、しかも濾材を挟持機構から確実に解放することができる水平濾板式濾過機を提供することができる。
【図面の簡単な説明】
【図１】本発明の水平濾板式濾過機の一実施形態の要部を拡大して示す図で、（ａ）はその一部を破断して示す平面図、（ｂ）はその正面図である。
【図２】図１に示す挟持機構を拡大して示す側面図である。
【図３】図１に示す要部を含む濾紙給排部の全体を示す側面図である。
【図４】図３に示す濾紙給排部の昇降駆動機構を示す平面図である。
【図５】従来の水平濾板式濾過機の一例を示す側面図である。
【図６】図５に示す水平濾板式濾過機の濾紙供給機構を示す斜視図である。
【図７】図６に示す濾紙供給機構で濾紙を取り出す時に動作説明図である。
【符号の説明】
Ｂ 濾紙給排部
１１ 保持テーブル
１２ 濾紙供給機構（濾材供給機構）
１３ 濾紙排出機構（濾材排出機構）
１２５ 吸着保持部
１２６ 挟持機構
１２６Ａ 接触保持部
１２６Ｂ プッシャー
１２６Ｃ アクチュエータ（駆動機構）
１２６Ｄ ピン
１２６Ｅ スプリング（弾性部材）
１２６Ｆ 孔
【図１】
0004128298.tif 000002
【図２】
0004128298.tif 000003
【図３】
0004128298.tif 000004
【図４】
0004128298.tif 000005
【図５】
0004128298.tif 000006
【図６】
0004128298.tif 000007
【図７】
0004128298.tif 000008